(57)【特許請求の範囲】
【請求項１】
遊技機本体に配設される遊技盤と、該遊技盤を覆うように、その一側縁を枢支して遊技機本体に開閉可能に配設される透明前面扉とを備え、該透明前面扉を、内周に収納溝が形成された二つの装着面部を内外に具備する保持窓枠と、各装着面部に夫々装着された内外の透明板とで構成した遊技機において、
各装着面部の上縁に上部挿入開口を形成し、枢支側と反対の他側縁に側部挿入開口を形成すると共に、少なくとも側部挿入開口に、該開口から装着した透明板を装着面部内に保持する保持手段を具備したことを特徴とする遊技機。
【請求項２】
遊技機本体に配設される遊技盤と、該遊技盤を覆うように、その一側縁を枢支して遊技機本体に開閉可能に配設される透明前面扉とを備え、該透明前面扉を、内周に収納溝が形成された二つの装着面部を内外に具備する保持窓枠と、各装着面部に夫々装着された内外の透明板とで構成した遊技機において、
外側装着面部の上縁にのみ上部挿入開口を形成し、内側装着面部の枢支側と反対の他側縁にのみ側部挿入開口を形成し、かつ内側装着面部の側部挿入開口に、該開口から装着した透明板を装着面部内に保持する保持手段を具備したことを特徴とする遊技機。
【請求項３】
上部挿入開口にも透明板を装着面部内に保持する保持手段を具備したことを特徴とする請求項１又は請求項２記載の遊技機。
【請求項４】
保持手段を、保持窓枠の隅部に一端が軸支されて、該支軸を中心として回動可能とし、起立状態で挿入開口を開放して装着面部への透明板の装着を可能とし、横臥状態で挿入開口を遮断する保持金具により構成した請求項１乃至請求項３のいずれかに記載の遊技機。
【発明の詳細な説明】
【０００１】
【発明の属する技術分野】
本発明は、ガラス材等からなる透明板を保持する透明前面扉を備えた遊技機に関するものである。
【０００２】
【従来の技術】
遊技機本体に配設される遊技盤と、該遊技盤を覆うように、その一側縁を枢支して遊技機本体に開閉可能に配設される透明前面扉とを備える遊技機は種々提案されている。特にパチンコ遊技機にあっては、透明前面扉は、内周に収納溝が夫々形成された二つの装着面部を内外に具備する保持窓枠と、各装着面部に夫々装着された内外の透明板とで構成されており、二枚の透明板を介して遊技盤面が視認される。
【０００３】
この従来構成の透明前面扉は、各装着面部毎に、保持窓枠の左右辺の内周と、下辺の内周に収納溝が形成され、これにより装着面部に収納された透明板をその両側縁及び下縁を収納溝で支えることにより保持している。また上辺には挿入開口が形成される。そしてガラス板等の透明板を装着するには、前面扉を遊技機本体に対して開放し、透明板を保持窓枠の上方から挿入開口に挿入し、各装着面部の両側の収納溝に沿って、その自重により装着面部内に落とし込まれる。なお、この挿入開口を杆状の閉塞桟により遮蔽して、透明板をその上縁でも保持するようにした構成も提案されているが、閉塞桟は、その両端部を保持窓枠に固定するものであるから、形状が複雑となり製造が面倒であり、適用されていない構造が多い。
【０００４】
【発明が解決しようとする課題】
透明板は、設置される遊技店への搬送途中で破損することを防ぐために、工場出荷の時点では透明前面扉に装着されていない状態となっており、遊技機が遊技店の島設備に設置された時点で透明板が装着される。
ところで透明板は、上部の開口部より１枚ずつ挿入する必要があり、取付け作業や取り外し作業が大変煩わしいものとなっている。すなわち、透明板は通常ガラス板からなり、遊技球の衝突や外部からの衝撃に耐えれるように厚く作られているため比較的重いものとなっている。その透明板を保持窓枠の上部の開口部まで持ち上げ、収納溝に沿わせ細心の注意を図りながらゆっくりと下方にスライドさせなければならないため面倒であり、かつ、途中で手を滑らせて透明板を破損したり、手を怪我したりといったことが発生する。
【０００５】
また、内外の透明板間には遊技機の情報や遊技店の情報が記載された遊技案内プレートが装着される。この装着は一旦、内外の透明板を装着した後に、内側透明板を上方向にずらして隙間から該プレートを挿入する必要があり、一方の手で内透明板を保持し、落とし込み時まで他方の指で遊技案内プレートを支持しておいて、内透明板の落とし込み操作を行うこととなって、作業が面倒であり、しかも手を離した際に、該プレートが傾いて、数度のやり直しを行う必要もあり、作業効率が悪かった。
本発明は、上述の各作業を容易に行い得る透明前面扉を具備する遊技機を提供すること目的とする。
【０００６】
【課題を解決するための手段】
本発明は、遊技機本体に配設される遊技盤と、該遊技盤を覆うように、その一側縁を枢支して遊技機本体に開閉可能に配設される透明前面扉とを備え、該透明前面扉を、内周に収納溝が形成された二つの装着面部を内外に具備する保持窓枠と、各装着面部に夫々装着された内外の透明板とで構成した遊技機において、
各装着面部の上縁に上部挿入開口を形成し、枢支側と反対の他側縁に側部挿入開口を形成すると共に、少なくとも側部挿入開口に、該開口から装着した透明板を装着面部内に保持する保持手段を具備したものである。
【０００７】
かかる構成にあって、外透明板を外側装着面部に装着し、内透明板を内側装着面部の側縁の挿入開口より少し挿入し、その状態で、背部から両装着面部間に遊技案内プレートを装着する。このとき、遊技案内プレートの一側縁を内透明板で起立状態に係止した状態とする。しかる後に、内透明板を摺動して押し込むことにより、該遊技案内プレートが傾いたりずれたりすることなく、容易に位置決めできることとなる。
【０００８】
また、上方向に透明板を持ち上げながらの作業では、かなりの重量がかかっていたが、側縁の挿入開口を用いることにより横方向から透明板を挿入できて、従来よりも作業負担が軽減される。
【０００９】
さらにまた、側部開口部に透明板を固定する固定手段を設けることにより、透明前面扉を開放した際に、衝撃や、慣性力などにより、透明板が側部開口部からズレて、はみ出すことがない。（いずれも請求項１，２に共通の作用）
【００１０】
さらにはかかる構成にあって、いずれの装着面部にあっても、上方及び側方からの透明板の挿入が可能となる。このため、透明板の装着時には、業者は、その作業体勢に合わせて、透明板の挿入方向を決めることができるので、煩雑な作業が軽減される。
【００１１】
ここで、外側装着面部の上縁には上部挿入開口のみを形成し、内側装着面部には枢支側と反対の他側縁にのみ側部挿入開口を形成し、かつ内側装着面部の側部挿入開口に、該開口から装着した透明板を装着面部内に保持する保持手段を具備した構成（請求項２）も提案される。
かかる構成にあっては、挿入開口が、外側装着面部では上縁に、内側装着面部では側縁にのみ夫々形成されているものであり、このため、保持窓枠の開口が、一辺に偏ることはないから、全体として堅牢な矩形窓枠構造（従来はコ字形窓枠構造）となって、強度が向上する。
【００１２】
さらに、上部挿入開口にも透明板を装着面部内に保持する保持手段を具備した構成（請求項３）とすることもできる。これにより透明板の上縁が保持され、そのガタツキが防止される。特に請求項１の発明のように、内外の装着面部に、上縁及び側縁に開口を形成し、かつ透明板の一側縁側の保持を部分保持としたような場合には、その上縁も保持されることにより、透明板の安定化を図ることができる。
【００１３】
ここで保持手段を、保持窓枠の隅部に一端が軸支されて、該支軸を中心として回動可能とし、起立状態で挿入開口を開放して装着面部への透明板の装着を可能とし、横臥状態で挿入開口を遮断する保持金具により構成（請求項４）することができる。かかる構成にあって、保持金具の回動操作のみにより、各透明板の装着と抜き出しが可能となり、かつその横臥位置で透明板枠を開放した際に、透明板のズレやガタツキが防止される。
【００１４】
【発明の実施の形態】
以下、本発明をパチンコ遊技機に適用した実施形態を、添付図面に従って説明する。
このパチンコ遊技機は、図１，２に示されるように、遊技島設備に固定される長方形状の外枠１と、この外枠１の前面開口部分を覆う遊技機本体２とからなり、これらがヒンジ部材３を介して開閉可能に枢着されている。
【００１５】
前記遊技機本体２の前面には、ほぼ正方形状の開口部４が中央上部に形成される板状の前枠５が備えられ、この前枠５が前記ヒンジ部材３を介して外枠１に枢着されている。また、この前枠５には、前記開口部４に着脱可能に取付けられる遊技盤６と、この遊技盤６の前方に配設された透明前面扉７ａと、この透明前面扉７ａの下方側に配設された上皿部材８と、この上皿部材８の下方側に配設された下皿部材９と、この下皿部材９の右側に突出する発射ハンドル１０を有する発射装置（図示せず）とが備えられている。なお、透明前面扉７ａと上皿部材８はそれぞれヒンジ部材（図示せず）を介して前枠５に軸支されており、メンテナンス時等において片開き状にそれぞれ開閉し得るようになっている。
【００１６】
この透明前面扉７ａには、ほぼ正方形状の額縁状に形成された金属製の保持窓枠２１に内外のガラス板等からなる透明板２０ａ，２０ｂが装着されて構成される。この保持窓枠２１の下辺の内周には前後２条の収納溝２３ａ，２３ｂ（図３参照）が、また左辺の内周にはそれぞれ前後２条の収納溝２４ａ，２４ｂ（図１参照）が前後並行に形成される。そして、各収納溝２３ａ，２４ａを含む面部を外透明板２０ａが装着される外側装着面部２２ａとし、各収納溝２３ｂ，２４ｂを含む面部を内透明板２０ｂが装着される内側装着面部２２ｂとする。この透明板２０ａ，２０ｂは、通常、ガラス板が用いられる。
【００１７】
次に本発明の要部について説明する。
図１〜図４は、本発明の第１実施形態を示す。
ここで保持窓枠２１は、透明前面扉７ａを縁取る矩形状の表飾り枠２５と、該表飾り枠２５の背面に固着される装着枠部２６とが形成され、該表飾り枠２５が前枠５の開口部４の左側部で軸支される。これにより透明前面扉７ａはその一側縁を遊技機本体２に枢支されて開閉可能に保持される。
【００１８】
一方、装着枠部２６には、上述したように、その内周に収納溝２３ａ，２４ａ及び収納溝２３ｂ，２４ｂが夫々内外に形成され、外側装着面部２２ａと、内側装着面部２２ｂとを規定している。この外側装着面部２２ａと、内側装着面部２２ｂとの間には区画部３０が周設され、その内部に遊技案内プレート５０が挿入可能な間隙を生じさせている。この区画部３０は、全周に形成され、これにより保持窓枠２１の矩形枠構造を規定して、その強度を確保している。
【００１９】
この第１実施形態にあっては、外側装着面部２２ａと、内側装着面部２２ｂの上縁には上部挿入開口２７ａ，２７ｂが、枢支側と反対の他側縁には側部挿入開口２８ａ，２８ｂが夫々形成されている。そして、各挿入開口２８ａ，２８ｂの両側には、装着枠部２６を成形加工して各二条の挿入縁部２９，２９を形成している。すなわち各挿入縁部２９，２９間が挿入開口２８ａ，２８ｂとなっている。
【００２０】
ここで、図４で示すように、外側装着面部２２ａにあっては、上部挿入開口２７ａを遮断するための上部保持金具３２ａと、側部挿入開口２８ａを遮断するための側部保持金具３３ａとが、その右上隅部で隣接して配設される。同様に内側装着面部２２ｂにあっても、上部挿入開口２７ｂを遮断するための上部保持金具３２ｂと、側部挿入開口２８ｂを遮断するための側部保持金具３３ｂとが、その右上隅部で隣接して配設される。
【００２１】
上部保持金具３２ａ，３２ｂは、図４〜６で示すように、隅部側の端部を支軸３４によりに支持されて、傾動可能としている。また、その内側縁には透明板２０ａ，２０ｂを内側で支持する側片３５が形成され、その外側縁前端には連係突部３６が突成される。一方、上述の区画部３０の上面には、横臥状態で上部保持金具３２ａ，３２ｂの連係突部３６が嵌入する係止孔３７が形成されている。これにより、上部保持金具３２ａ，３２ｂは、図５の起立状態で、上部挿入開口２７ａ、２７ｂを開放して、該上部挿入開口２７ａ，２７ｂへの透明板２０ａ，２０ｂの挿入を可能とし、さらに装着状態で、図４，６の横臥状態とすると、連係突部３６が係止孔３７に嵌入する。そしてその状態で、該透明板２０ａ，２０ｂの上方からの抜き取りが拘束されるとともに、図４で示すように、透明板２０ａ，２０ｂの内側上縁が側片３５で支持され、安定的に保持されることとなる。
【００２２】
また、側部保持金具３３ａ，３３ｂは、図５，７で示すように、隅部側の端部を支軸３８により挿入縁部２９，２９に支持されて、傾動可能としている。また横断面はコ字状であり、両側縁には透明板２０ａ，２０ｂを内側で支持する側片３９，３９が形成され、隅部側の端部を支軸３８により挿入縁部２９，２９に支持されて傾動可能とし、かつ外側の側片３９には連係溝４０が突成される（図７参照）。一方、外側の挿入縁部２９上には連係ピン４１が突成され（図３，７参照）、横臥状態で連係ピン４１に側部保持金具３３ａ，３３ｂの連係溝４０が外嵌する。この外嵌状態は、側部保持金具３３ａ，３３ｂの開放に節度を付与する密嵌度とし、透明板２０ａ，２０ｂの透明前面扉７ａの開放時の慣性力や、振動による横ズレを阻止するようにしている。
【００２３】
これにより、側部保持金具３３ａ，３３ｂは、図５の起立状態で、側部挿入開口２８ａ、２８ｂを開放して、該側部挿入開口２８ａ、２８ｂへの透明板２０ａ，２０ｂの挿入を可能とし、さらに装着状態で、図４、図６の横臥状態とすると、連係ピン４１に連係溝４０が外嵌して、該透明板２０ａ，２０ｂを保持する。
【００２４】
かかる構成にあって、外側装着面部２２ａと、内側装着面部２２ｂのいずれにあっても、保持金具３２ａ，３２ｂ、３３ａ，３３ｂの操作により、上部挿入開口２７ａ，２７ｂ及び側部挿入開口２８ａ、２８ｂのいずれも選択的に開閉することが可能となり、上方又は側方のいずれからも、透明板２０ａ，２０ｂの挿入が可能となる。このため、パチンコ遊技機の設置時にあって、透明板２０ａ，２０ｂの装着時に、業者は、その作業体勢に合わせて、透明板２０ａ，２０ｂの挿入方向を決めることができるので、従来煩わしかった作業が軽減される。
【００２５】
また、遊技案内プレート５０の装着にあっては、外透明板２０ａを外側装着面部２２ａに装着し、内透明板２０ｂを内側装着面部２２ｂの側縁の側部挿入開口２８ｂより少し挿入し、その状態で、背部から両装着面部２２ａ，２２ｂ間に遊技案内プレート５０を装着する。このとき、遊技案内プレート５０の一側縁を内透明板２２ｂで起立状態に係止した状態とし、手を離しても、該遊技案内プレート５０が背方へ傾倒しないように拘束する。しかる後に、内透明板２２ｂを収納溝２３ｂに沿って摺動して押し込むことにより、該遊技案内プレート５０が傾いたりずれたりすることなく、容易に位置決めできることとなる。これにより、該プレートが傾いたりずれたりすることがなくなるので、位置の修正が不要となる。
【００２６】
また、透明板２０ａ，２０ｂは、かなりの重量であるが、側縁の挿入開口２８ａ，２８ｂのみを用いることにより、横方向から透明板２０ａ，２０ｂを挿入できて、作業負担が軽減される。
【００２７】
この側部挿入開口２８ａ，２８ｂは常態で保持金具３３ａ，３３ｂによって遮断されているため、透明前面扉７ａを開放しても、その慣性力や振動などにより各透明板２０ａ，２０ｂが離脱することはない。また、上部挿入開口２７ａ，２７ｂも保持金具３２ａ，３２ｂで遮断されているから、透明板２０ａ，２０ｂの上縁も保持される。特に、内外の装着面部２２ａ、２２ｂに夫々上部及び一側部が開放されているから、保持金具３３ａ，３３ｂのみによる透明板２０ａ，２０ｂの部分保持では透明板２０ａ，２０ｂの安定度が必ずしも充分ではないが、保持金具３２ａ，３２ｂにより、その上縁も保持されることにより、透明板２０ａ，２０ｂの安定化を充分に図ることができる。
【００２８】
次に透明前面扉７ｂを備えた第２実施形態につき、図８〜図１１に従って説明する。
この第２実施形態の透明前面扉７ｂにあっては、内外の装着面部２２ａ，２２ｂのうち、外側の装着面部２２ａには上部挿入開口２７のみを形成し、内側装着面部２２ｂには側部挿入開口２８のみを形成するようにしている。そして、内側装着面部２２ｂにあっては、側部挿入開口２８を遮断するための側部保持金具３３が、その右上隅部で配設される。この側部保持金具３３の構成は、図７で示すように、上述した第１実施形態の側部保持金具３３ｂと構成が同じであり、構成部に同一符号を付してその説明を省略する。
【００２９】
そして、装着面部２２ａは、表飾り枠２５と区画枠３０間に形成され、上部挿入開口２７以外の装着枠部２６の両側辺及び下辺によりコ字状に形成され、上部挿入開口２７から挿入された透明板２０ａは装着枠部２６に囲繞されて、安定的に支持される。
【００３０】
さらに装着面部２２ｂにあって、側部保持金具３３は、図９，１１の起立状態で、側部挿入開口２８を開放して、側部挿入開口２８への透明板２０ｂの挿入を可能とし、さらに透明板２０ｂの装着状態で、図７，１０の横臥状態とすると、連係突部４１に連係溝４０が外嵌する。これにより、該透明板２０ｂの横ズレがその節度作用により防止される。
【００３１】
かかる構成にあって、外側装着面部２２ａには、図８（イ）で示すように、上部挿入開口２７から透明板２０ａが下方へ挿入され、内側装着面部２２ｂには、図８（ロ）で示すように、側部挿入開口２８から透明板２０ｂが側方から挿入される。このため、遊技案内プレート５０を外透明板２０ａと内透明板２０ｂの間に装着する際に、遊技案内プレート５０を内透明板２０ｂを少し挿入した状態で、背部から、区画部３０内の間隔内に遊技案内プレート５０を装着して、内透明板２０ｂにより係止した後、さらに内透明板２０ｂを摺動して押し込むことにより、該プレートが傾いたりずれたりすることなく、容易に位置決めできる。
【００３２】
またかかる構成にあっては、挿入開口が、外側装着面部では上縁に、内側装着面部では側縁にのみ夫々形成されているものであり、このため、保持窓枠２１の開口が、一側に偏ることはないから、全体として堅牢な矩形窓枠構造を維持できて、強度が向上する。
【００３３】
本発明はパチンコ遊技機だけでなく、遊技盤６を覆うように配設される透明板２０ａ，２０ｂを保持する保持窓枠２１を備える他の遊技機にも適用できる。
【００３４】
【発明の効果】
本発明は、透明前面扉の各装着面部の上縁に上部挿入開口を形成し、枢支側と反対の他側縁に側部挿入開口を形成すると共に、少なくとも側部挿入開口に、該開口から装着した透明板を装着面部内に保持する保持手段を具備したものであるから、内透明板を内側装着面部の側縁の挿入開口より少し挿入して、背部から装着した遊技案内プレートの一側縁を内透明板で起立状態に係止した状態とし、しかる後に、内透明板を摺動して押し込むことにより、該遊技案内プレートが傾いたりずれたりすることなく、容易に位置決めできることとなる。
【００３５】
また、上方向に透明板を持ち上げながらの作業では、かなりの重量がかかっていたが、側縁の挿入開口を用いることにより横方向から透明板を挿入できて、従来よりも作業負担が軽減される。
【００３６】
さらにまた、側部開口部に透明板を固定する固定手段を設けることにより、透明前面扉を開放した際に、衝撃や、慣性力などにより、透明板が側部開口部からズレて、はみ出すことがない。
【００３７】
さらにはかかる構成にあって、いずれの装着面部にあっても、上方又は側方からの透明板の挿入が可能となるため、透明板の装着時には、業者は、その作業体勢に合わせて、透明板の挿入方向を決めることができるので、煩雑な作業が軽減される。
【００３８】
また、外側装着面部の上縁には上部挿入開口のみを形成し、内側装着面部には枢支側と反対の他側縁にのみ側部挿入開口を形成し、かつ内側装着面部の側部挿入開口に、該開口から装着した透明板を装着面部内に保持する保持手段を具備した構成（請求項２）にあっては、上述の遊技案内プレートの装着容易性と横方向からの挿入に伴う作業の軽減に加えて、挿入開口が、外側装着面部では上縁に、内側装着面部では側縁にのみ夫々形成されているものであり、このため、保持窓枠の開口が、一側に偏ることはないから、全体として堅牢な矩形窓枠構造（従来はコ字形窓枠構造）となって、強度が向上する。
【００３９】
さらに、上部挿入開口にも透明板を装着面部内に保持する保持手段を具備した構成（請求項３）にあっては、透明板の上縁が保持され、そのガタツキが防止される。特に請求項１の発明のように、内外の装着面部に、上縁及び側縁に開口を形成し、かつ透明板の一側縁側の保持を部分保持としたような場合には、その上縁も保持されることにより、透明板の安定化を図ることができる。
【００４０】
ここで保持手段を、保持窓枠の隅部に一端が軸支されて、該支軸を中心として回動可能とし、起立状態で挿入開口を開放して装着面部への透明板の装着を可能とし、横臥状態で挿入開口を遮断する保持金具により構成（請求項４）した場合には、保持金具の回動操作のみにより、各透明板の装着と抜き出しが可能となり、かつその横臥位置で透明板枠を開放した際に、透明板のズレやガタツキが防止される。
【図面の簡単な説明】
【図１】第１実施形態のパチンコ遊技機の斜視図である。
【図２】第１実施形態のパチンコ遊技機の側面図である。
【図３】第１実施形態の透明前面扉７ａの縦断側面図である。
【図４】透明前面扉７ａの右上隅部を示す斜視図である。
【図５】保持金具３２ａ，３３ａの起立状態を示す一部の斜視図である。
【図６】保持金具３２ａの横臥状態を示す縦断側面図である。
【図７】保持金具３３ａ，３３ｂの横臥状態を示す側面図である。
【図８】第２実施形態のパチンコ遊技機の斜視図であり、（イ）は透明板２０ａの装着態様を、（ロ）は透明板２０ｂの装着態様を夫々示す。
【図９】第２実施形態の透明前面扉７ｂの縦断側面図である。
【図１０】透明前面扉７ｂの右上隅部を示す斜視図である。
【図１１】保持金具３３の起立状態を示す一部の斜視図である。
【符号の説明】
２  遊技機本体
７ａ，７ｂ  透明前面扉
２０ａ，２０ｂ  透明板
２１  保持窓枠、
２２ａ  外側装着面部
２２ｂ  内側装着面部
２３ａ，２３ｂ、２４ａ、２４ｂ    収納溝
２６  装着枠部
２７ａ，２７ｂ，２７  上部挿入開口
２８ａ，２８ｂ，２８  側部挿入開口
３０  区画部
３２ａ，３２ｂ，３２  上部保持金具
３３ａ，３３ｂ，３３  側部保持金具
【図１】
0003874408.tif 000002
【図２】
0003874408.tif 000003
【図３】
0003874408.tif 000004
【図４】
0003874408.tif 000005
【図５】
0003874408.tif 000006
【図６】
0003874408.tif 000007
【図７】
0003874408.tif 000008
【図８】
0003874408.tif 000009
【図９】
0003874408.tif 000010
【図１０】
0003874408.tif 000011
【図１１】
0003874408.tif 000012